(57)【特許請求の範囲】
【請求項１】
角部に面取りが行われた長四角形のALCブロック（4）を同一平面上に複数並べ、これらを下地材（2）上に支持してALCブロック接合体（6）を構成する一方、金属製の長四角形の外囲板（18）の一側部に、前記ALCブロック接合体（6）の表面の前記ALCブロック（4）の面取り傾斜（8）によって形成されるＶ溝（10）に嵌合可能なＶ字状の嵌合凹部（20）と、該嵌合凹部（20）の上部に幅狭の開口部（26）を形成する係合部（22）と、該係合部（22）と同一平面上に且つこれと一体的に、ビスなどによって前記外囲板（18）を前記ALCブロック（4）に固定するための取付部（24）とを形成し、前記外囲板（18）の他側部に、Ｖ字状の引掛部（28）を形成し、複数の外囲板（18）を前記ALCブロック接合体（6）の表面に配置し、前記外囲板（18）の嵌合凹部（20）を前記Ｖ溝（10）に嵌合した状態で該外囲板（18）の取付部（24）をALCブロック（4）に固定し、該外囲板（18）の嵌合凹部（20）に、隣接する他の外囲板（18）の引掛部（28）を押し込みこの引掛部（28）を嵌合凹部（20）内に係止させ、前記ALCブロック接合体（6）の表面を複数の外囲板（18）で覆うようにしたことを特徴とする外囲体。
【請求項２】
角部に面取り傾斜（8）によって面取りが行われ同一平面上に複数並べられた長四角形のALCブロック（4）を覆うための外囲板であって、長四角形の金属板から成り、該金属板の一側部に、ALCブロック接合体の表面の前記ALCブロック（4）の面取り傾斜（8）によって形成されるＶ溝（10）に嵌合可能なＶ字状の嵌合凹部（20）と、該嵌合凹部（20）の上部に幅狭の開口部（26）を形成する係合部（22）と、該係合部（22）と同一平面上に且つこれと一体的に、ビスなどによって前記金属板を前記ALCブロック（4）に固定するための取付部（24）とを形成し、前記金属板の他側部に、Ｖ字状の引掛部（28）を形成したことを特徴とする外囲板。
【発明の詳細な説明】
【０００１】
【発明の属する技術分野】
本発明は、屋根や外壁として用いられる外囲体及び外囲体を構成するための外囲板に関する。
【０００２】
【従来の技術】
屋根材や壁材として、用いられるＡＬＣブロックが従来知られている。
このＡＬＣブロックは角が面取り加工されているため、複数のＡＬＣブロックを互いに側面を密着させて並べると、この接合部にＶ溝が形成される。複数互いに密着させて並べたＡＬＣブロックは、下地材にビス止めされ、防水加工を施されて屋根や外壁として用いられる。
【０００３】
【発明が解決しようとする課題】
ＡＬＣブロックの接合体表面には、下地材にビス止め固定されるための凹入部や、Ｖ溝が形成されている。そのため、これらをセメント等で埋めてＡＬＣブロックの接合体表面をフラット面とするシーリング作業が必要とされ、更にＡＬＣブロック接合体表面に塗料を塗着して防水処理を施す必要があり、これらの作業は人手と時間がかかる作業となっている。
本発明は上記問題点を解決することを目的とするものである。
【０００４】
【課題を解決するための手段】
上記目的を達成するため、本発明は、角部に面取りが行われた長四角形のALCブロック（4）を同一平面上に複数並べ、これらを下地材（2）上に支持してALCブロック接合体（6）を構成する一方、金属製の長四角形の外囲板（18）の一側部に、前記ALCブロック接合体（6）の表面の前記ALCブロック（4）の面取り傾斜（8）によって形成されるＶ溝（10）に嵌合可能なＶ字状の嵌合凹部（20）と、該嵌合凹部（20）の上部に幅狭の開口部（26）を形成する係合部（22）と、該係合部（22）と同一平面上に且つこれと一体的に、ビスなどによって前記外囲板（18）を前記ALCブロック（4）に固定するための取付部（24）とを形成し、前記外囲板（18）の他側部に、Ｖ字状の引掛部（28）を形成し、複数の外囲板（18）を前記ALCブロック接合体（6）の表面に配置し、前記外囲板（18）の嵌合凹部（20）を前記Ｖ溝（10）に嵌合した状態で該外囲板（18）の取付部（24）をALCブロック（4）に固定し、該外囲板（18）の嵌合凹部（20）に、隣接する他の外囲板（18）の引掛部（28）を押し込みこの引掛部（28）を嵌合凹部（20）内に係止させ、前記ALCブロック接合体（6）の表面を複数の外囲板（18）で覆うようにしたものである。
【０００５】
【発明の実施の形態】
以下に本発明の実施の形態を添付した図面を参照して詳細に説明する。
（２）はＣ型チャンネル鋼などの下地材であり、これの上に長四角形状のＡＬＣ（軽量気泡コンクリート）ブロック（４）が複数、同一平面上に、側面どうしが密着した状態で配置され、ＡＬＣブロック接合体（６）を形成している。各ＡＬＣブロック（４）は、コーナーが切削面取り加工され、隣接するＡＬＣブロック（４）の側面どうしが接する合接部には面取り斜面（８）によって断面Ｖ字状の溝（１０）が形成されている。ＡＬＣブロック（４）は、その凹入部１２の底面に開口するねじ挿入穴１４に挿入されたビス（１６）によって、下地材２に固定されている。
【０００６】
（１８）は、鋼板、銅板等の金属板から成る外囲板であり、図１中、紙面垂直方向に延びる長尺の長方形を構成している。外囲板（１８）の一側には、ＡＬＣブロック接合部のＶ溝（１０）に対応するＶ字状の嵌合凹部（２０）が形成され、この嵌合凹部（２０）の上部には、外囲板（１８）の平板部（１８ａ）と同一平面上に位置して係合部（２２）が形成され、該係合部（２２）には、これと同一平面上に、取付部２４が所定幅形成されている。前記係合部（２２）は、外囲板（１８）の本体を２重に折り重ねて形成され、係合部（２２）の先端は、所定の間隔の開口部（２６）をはさんで平板部（１８ａ）に対向している。
【０００７】
外囲板（１８）の他測部には、断面Ｖ字状の引掛部（２８）が形成されている。前記引掛部（２８）は、外囲板（１８）の平板部（１８ａ）に対して裏面側に突出し、その係合端（２８ａ）は、平板部（１８ａ）の裏面に対してわずかな隙間を存して対向している。前記引掛部（２８）は、その突曲底部（２８ｂ）から他の外囲板（１８）の嵌合凹部（２０）上方の開口部（２６）に圧入すると、弾性によってＶ字が圧縮変形し、パチンと嵌合凹部（２０）に嵌合する。このとき、係合端（２８ａ）が、係合部（２２）と係合し、引掛部（２８）は、嵌合凹部（２０）に抜脱しないように、係止されるように構成されている。
【０００８】
外囲板（１８）の嵌合凹部（２０）と引掛部（２８）との間の間隔は、ＡＬＣブロック（４）の幅と同一に設定されている。
上記した構成において、外囲板（１８）を対応するＡＬＣブロック（４）の上に載置し、その嵌合凹部（２０）をＶ溝（１０）に嵌合し、取付部（２４）を、ビス（３０）によって、隣接するＡＬＣブロック（４）の表面に固定する。次に、他の外囲板（１８）を、隣接するＡＬＣブロック（４）の上に載置し、引掛部（２８）を、既にビス（３０）により固定されている外囲板（１８）の嵌合凹部（２０）に嵌め込む。引掛部（２８）は、嵌合凹部（２０）の開口部（２６）に押し込むとき、Ｖ字状部がその弾性により圧縮し、開口部（２６）を通過すると、図４Ｂに示すように、Ｖ字状部の先端が係合部（２２）と係合して嵌合凹部（２０）からの抜脱が阻止される。この作業を繰り返すことにより、複数のＡＬＣブロック（４）から成るＡＬＣブロック接合体（６）の表面を複数の外囲板（１８）で覆うことが出来る。
【０００９】
【発明の効果】
本発明は上述の如く、Ｖ溝の形成されたＡＬＣブロック接合体表面を、簡単に金属の外囲板で覆うことができるので、Ｖ溝や、ＡＬＣブロック表面の凹部へのシーリングが不要となり、ＡＬＣブロック接合体の防水施工を簡単に行うことができる。
【図面の簡単な説明】
【図１】本発明である外囲体の説明的断面図である。
【図２】外囲板の拡大断面図である。
【図３】外囲板の外観図である。
【図４】本発明の作業説明図である。
【図５】ＡＬＣブロックの一部断面外観図である。
【符号の説明】
２      下地材
４      ＡＬＣブロック
６      ＡＬＣブロック接合体
８      斜面
１０    Ｖ溝
１２    凹入部
１４    ねじ挿入穴
１６    ビス
１８    外囲板
１８ａ  平板部
２０    嵌合凹部
２２    係合部
２４    取付部
２６    開口部
２８    引掛部
２８ａ  係合端
２８ｂ  突曲底部
３０    ビス
【図１】
0003808978.tif 000002
【図２】
0003808978.tif 000003
【図３】
0003808978.tif 000004
【図４】
0003808978.tif 000005
【図５】
0003808978.tif 000006